(57)【要約】【課題】  静止画像を表示する際の待機時間をユーザーが意識することがないようにしたテレビジョン受信機を提供する。【解決手段】  チューナー１１と、表示デバイス１７と、チューナー１１からのＴＶ映像の映像信号と記憶媒体２５からの静止画像の映像信号とを取り込んで、表示デバイス１７にＴＶ映像を表示させるとともに、ＴＶ映像上に静止画像をオン・スクリーン表示させる描画処理回路１４とを備える。【選択図】  図１
2006080848.tif 000002
【特許請求の範囲】
【請求項１】
表示デバイスと、
動画映像の映像信号と静止画像の映像信号とを取り込んで、前記表示デバイスに前記動画映像を表示させるとともに、前記動画映像上に前記静止画像をオンスクリーン表示させる描画処理回路と
を備えたことを特徴とするテレビジョン受信機。
【請求項２】
前記描画処理回路は、前記動画映像上に前記静止画像をオンスクリーン表示処理をした合成画像を生成し、前記合成画像を前記表示デバイスに表示させることを特徴とする請求項１記載のテレビジョン受信機。
【請求項３】
各種操作信号を入力する操作手段と、
前記操作手段の操作信号に基づいて前記動画映像の内容を切り替える制御部と
を備えたことを特徴とする請求項１又は２記載のテレビジョン受信機。
【請求項４】
チューナーを備え、
前記制御部は、前記操作手段の操作信号に基づいてチューナーを調整し、前記描画処理回路に入力するチューナーからのテレビ映像の映像信号を切り替え、前記表示デバイスに表示されているテレビ映像を切り替えることを特徴とする請求項３記載のテレビジョン受信機。
【請求項５】
前記制御部は、前記操作手段の操作信号に基づいて、前記表示デバイスにオンスクリーン表示される映像を、前記静止画像から前記動画映像へ又は前記動画映像から前記静止画像に切り替えるための制御信号を前記描画処理回路に出力し、
前記描画処理回路は、前記制御信号に基づいて、前記表示デバイスにオンスクリーン表示させる映像を切り替えることを特徴とする請求項３又は４記載のテレビジョン受信機。
【請求項６】
前記制御部は、記録媒体から画像データを取り込んでサムネイル画像の映像信号を前記描画処理回路に出力し、
前記描画処理回路は、前記表示デバイスに前記動画映像を表示させるとともに、前記サムネイル画像をオンスクリーン表示させることを特徴とする請求項１〜５の何れかに記載のテレビジョン受信機。
【請求項７】
前記制御部は、前記操作手段の操作信号に基づいて、前記表示デバイスに表示されたサムネイル画像の内１つの画像が選択されると、その選択された静止画像の画像データを前記記録媒体から読み込んで前記描画処理回路に出力し、
前記描画処理回路は、前記表示デバイスに前記静止画像を１枚表示させることを特徴とする請求項３〜６の何れかに記載のテレビジョン受信機。
【請求項８】
前記動画映像に対応した音声信号を入力し、前記動画映像の表示態様に関係なく、前記動画映像に対応する音声を出力する音声出力手段を備えたことを特徴とする請求項１〜７の何れかに記載のテレビジョン受信機。
【発明の詳細な説明】
【技術分野】
【０００１】
本発明は、デジタルカメラやメモリカード等に記憶された静止画像を表示する機能を備えたテレビジョン受信機に関する。
【背景技術】
【０００２】
従来、デジタルカメラやメモリカード等に記憶された静止画像を表示する機能を備えたテレビジョン受信機がある。その機能を備えたテレビジョン受信機は、例えばメモリカードの挿入口を備え、ユーザーがキー操作等により挿入されたメモリカードに記憶されている静止画像の一覧を表示させたり、それらの画像を１枚ずつ順に表示（スライド表示）させたりすることができるようになっている。
【０００３】
しかし、これらの機能は、ＴＶやＤＶＤ等の他の映像を再生するテレビジョン受信機の本来の機能である動画再生機能とは別のアプリケーションを用いる必要があり、Photo View（フォトビユー）機能として独立的した機能となっている。このため、ユーザーがそれら２つの機能を切り替えなければならず煩雑であった。例えば、Photo View機能を使用している状態で、現在どんなＴＶ番組が放映されているのかを確認するためには、一旦、Photo View機能を終了してからＴＶ映像の再生機能に切り替えるという作業をしなければならなかった。逆に、ＴＶ映像を表示していて、静止画像を表示したいときには、ＴＶ映像の再生機能（表示）を中止して、Photo View機能を立ち上げなければならなかった。
【０００４】
このような問題点を解決するものとして、例えば、電源オンのときにメモリカードが挿入されていれば、自動的にPhoto View（フォトビユー）機能のアプリケーションを起動させ、ＴＶ視聴中であればメモリカードのアイコンを子画面に表示することが提案されている（例えば特許文献１）。
【特許文献１】特開２００２−１３５６７６号公報
【発明の開示】
【発明が解決しようとする課題】
【０００５】
しかしながら、上記の特許文献１において提案されている方法においても、メモリカードからの静止画像の読み込み時間や、静止画像のファイルのデコード処理時間は無視できるものではなく、ユーザーにとってはPhoto View機能に切り替えてから静止画像が表示されるまでの待ち時間が発生するという問題点がある。
【０００６】
本発明は、このような問題点を解決するためになされたものであり、静止画像を表示する際の待機時間をユーザーが意識することがないようにしたテレビジョン受信機を提供することを目的とする。
【課題を解決するための手段】
【０００７】
本発明に係るテレビジョン受信機は、表示デバイスと、動画映像の映像信号と静止画像の映像信号とを取り込んで、前記表示デバイスに前記動画映像を表示させるとともに、前記動画映像上に前記静止画像をオンスクリーン表示させる描画処理回路とを備えたものである。本発明においては、静止画像を表示デバイスに表示させる際には、動画映像と静止画像とを同時に表示させるようにしており（前記動画映像上に前記静止画像をオンスクリーン表示させる）、このため、例えば記憶媒体から静止画像の映像信号を取り込んでデコード処理するまで或る程度時間がかかったとしても、その間は、表示デバイスには動画映像が表示されているので、ユーザーにとってその待ち時間は気にならないものとなる。つまり、従来（特許文献１）は、静止画像を表示デバイスに表示する際に自動的に起動するアプリケーションを用いているが、記憶媒体の画像データの読み込みやデコードの処理のために或る程度の時間が必要であり、ユーザーにとっては待機時間が発生することになるが、本発明においてはアプリケーションの切り替えを不要とし、静止画像が表示されるまでの間は動画映像（例えばＴＶ映像）をそのまま引き続き表示させるようにしているので、ユーザーにとっては待機時間として意識するようなことにはならない。しかも、静止画像を表示させた段階においても、動画映像を背景として表示させるようにしているので、動画映像の内容を確認しながら静止画像の表示を楽しむことができる。
【０００８】
本発明に係るテレビジョン受信機において、前記描画処理回路は、前記動画映像上に前記静止画像をオンスクリーン表示処理をした合成画像を生成し、前記合成画像を前記表示デバイスに表示させる。
【０００９】
また、本発明に係るテレビジョン受信機は、各種操作信号を入力する操作手段と、前記操作手段の操作信号に基づいて背景として表示されている前記動画映像の内容を切り替える制御部とを備えたものである。本発明においては、静止画像を表示させた段階においても、背景として表示されている動画映像を任意に切り替えることができる。
【００１０】
また、本発明に係るテレビジョン受信機はチューナーを備え、前記制御部は、前記操作手段の操作信号に基づいてチューナーを調整し、前記描画処理回路に入力するチューナーからのテレビ映像の映像信号を切り替え、前記表示デバイスに表示されているテレビ映像を切り替える。本発明においては、操作手段の操作信号に基づいてチューナーを調整して表示デバイスに背景として表示されているテレビ番組を任意に切り替えることができるようにしたので、任意のテレビ番組の内容を確認しつつ、静止画像の表示を楽しむことができる。
【００１１】
また、本発明に係るテレビジョン受信機において、前記制御部は、前記操作手段の操作信号に基づいて、前記表示デバイスにオンスクリーン表示される映像を、前記静止画像から前記動画映像へ又は前記動画映像から前記静止画像に切り替えるための制御信号を前記描画処理回路に出力し、前記描画処理回路は、前記制御信号に基づいて、前記表示デバイスにオンスクリーン表示させる映像を切り替える。本発明においては、例えば背景映像として動画映像が表示され、手前側に静止画像が表示されている状態で、前記操作手段を操作することにより、その逆の状態、即ち、例えば静止画像を背景映像とし、動画映像を手前側に表示させることにより、動画映像を楽しむことが可能になっている。
【００１２】
また、本発明に係るテレビジョン受信機において、前記制御部は、記録媒体から画像データを取り込んでサムネイル画像の映像信号を前記描画処理回路に出力し、前記描画処理回路は、前記表示デバイスに前記動画映像を表示させるとともに、前記サムネイル画像をオンスクリーン表示させる。本発明においては、動画映像を背景とし、静止画像としてサムネイル画像をオンスクリーン表示させることができる。
【００１３】
また、本発明に係るテレビジョン受信機において、前記制御部は、前記操作手段の操作信号に基づいて、前記表示デバイスに表示されたサムネイル画像の内１つの画像が選択されると、その選択された静止画像の画像データを前記記録媒体から読み込んで前記描画処理回路に出力し、前記描画処理回路は、前記表示デバイスに前記静止画像を１枚表示させる。
【００１４】
また、本発明に係るテレビジョン受信機は、前記動画映像に対応した音声信号を入力し、前記動画映像が表示態様に関係なく、前記動画映像に対応する音声を出力する音声出力手段を備えたものである。本発明においては、動画映像が表示態様に関係なく（背景又は手前側の表示）、動画映像の音声が得られるので、制約された状況の下ではあるが、動画映像を楽しむことができる。
【発明を実施するための最良の形態】
【００１５】
実施形態１．
図１は本発明の実施形態１に係るデジタル放送受信装置の構成を示すブロック図である。このデジタル放送受信装置１は、アンテナ１０、チューナー１１、デマルチプレクサ１２、映像信号処理回路１３、描画処理回路１４、フレームメモリ（フィールドメモリ）１５、映像出力回路１６、表示デバイス１７、音声信号処理回路１８、アンプ１９、スピーカー２０、操作部２１、インターフェース（ＩＦ）２２、リモートコントローラ２３、受信部２４、記憶媒体（例えばメモリカード）２５、インターフェース（ＩＦ）２６、及び制御部２８を備えている。そして、チューナー１１、デマルチプレクサ１２、映像信号処理回路１３、音声信号処理回路１８、インターフェース２２、受信部２４、インターフェース２６及び制御部２８はバス２７を介して接続されており、制御部２８により回路全体が制御されている。制御部２８は、ＣＰＵ２８１、ＣＰＵ２８１が実行すべきプログラムや固定データなどが書き込まれたＲＯＭ２８２及びＣＰＵ２８１のワークエリアなどとして機能するＲＡＭ２８３によって構成されている。ＲＡＭ２８３には後述のPhotoキーの操作に基づいてセット・リセットされるフラグ２８３ａが格納されている。なお、操作部２１及びリモートコントローラ２３は本発明の操作手段に相当するものであり、通常のテレビのキーの他に、Photo View（フォトビユー）機能を稼動させるためのキーが設けられているものとする。
【００１６】
図２は図１のリモートコントローラ２３の正面図であり、通常のキー、即ち、チャンネルキー２３ａ、シフトキー２３ｂ、Enterキー２３ｃ、数値キー２３ｄ等の他に、Photo View（フォトビユー）機能を稼動させるためのPhotoキー２３ｅが設けられている。
【００１７】
図１のデジタル放送受信装置１において、ユーザーが操作部２１又はリモートコントローラ２３を操作して見たいチャンネルを選択すると、そのチャンネルに相当する選局信号が発生し、制御部２８はその選局信号をインターフェース２２又は受信部２４及びバス２７を介して受信し、制御部２８がその選局信号に基づいてチューナー１１に選局信号を出力することによりチューナー１１でその選局信号に対応したチャンネルが設定される。アンテナ１０は、周波数変換器を備えており、例えばＣＳ（Ｃｏｍｍｕｎｉｃａｔｉｏｎ  Ｓａｔｅｌｌｉｔｅ）から送られてくるデジタル放送信号を受信して、周波数変換した信号をチューナー１１に出力する。チューナー１１は、復調回路、逆インタリーブ回路、誤り訂正回路等を備えており、映像・音声データを含む高周波デジタル変調信号のうちから特定周波数の信号を取り出す処理をする。すなわち、デジタル放送の複数のトランスポンダのなかから一つを選択する処理を行う。デマルチプレクサ（ＤＥＭＵＸ）１２は、前記トランスポート・ストリームを、例えばＭＰＥＧ２（Ｍｏｖｉｎｇ Ｐｉｃｔｕｒｅ Ｅｘｐｅｒｔｓ Ｇｒｏｕｐ２）のビデオストリーム、オーディオストリーム、及びＰＳＩ／ＳＩ（Ｐｒｏｇｒａｍ Ｓｐｅｃｉｆｉｃ Ｉｎｆｏｒｍａｔｉｏｎ／Ｓｅｒｖｉｃｅ Ｉｎｆｏｒｍａｔｉｏｎ）等に分離し、ビデオストリームを映像信号処理回路１３に出力し、オーディオストリームを音声信号処理回路１８に出力する。なお、ＰＳＩ／ＳＩは必要に応じてＣＰＵ２８１に取り込まれて処理される。
【００１８】
映像信号処理回路１３はビデオデコーダ等を内蔵しており、入力された可変長符号を復号して量子化係数や動きベクトルを求め、逆ＤＣＴ変換や動きベクトルに基づく動き補償制御等を行って描画処理回路１４に出力する。描画処理回路１４は、例えば映像信号処理回路１３からのＴＶ映像の映像信号に基づいて表示デバイス１７に表示させる映像信号を生成する回路であり、フレームメモリ１５にフレーム毎にフレーム画像を生成し、そのフレーム画像（映像信号）を読み出して映像出力回路１６に出力する。映像出力回路１６は、描画処理回路１４からの映像信号を受け取ってＤ／Ａ変換を行い、例えばコンポジット映像信号に変換して表示デバイス１７に出力し、表示デバイス１７はその映像信号によるＴＶ映像を表示する。
【００１９】
音声信号処理回路１８はオーディオデコーダ等を内蔵しており、入力された符号化信号を復号して音声信号（音声データ）を生成し、更に、その音声信号をＤ／Ａ変換し、例えば右（Ｒ）音のアナログ信号及び左（Ｌ）音のアナログ信号を生成してアンプ１９に出力する。アンプ１９は右（Ｒ）音及び左（Ｌ）音のアナログ信号を増幅してスピーカー２０に出力し、スピーカー２０から音声が得られる。
【００２０】
以上のようにして、ユーザーが操作部２１又はリモートコントローラ２３を操作して選択されたチャンネルのＴＶ映像が表示デバイス１７に表示され、スピーカー２０からそのチャンネルの音声が得られている状態で、例えば、ユーザーがリモートコントローラ２３を操作して静止画像を得るためのキー操作をすると（Photoキー２３ｅの操作）、制御部２８はその操作信号をインターフェース２２を介して取り込んで解読し、記憶媒体２５に記憶されている静止画像の画像データを読み込んでバス２７を介して描画処理回路１４に出力し、表示デバイス１７にその静止画像を表示させる。このときの処理の詳細を図３のフローチャートにしたがって説明する。
【００２１】
図３は図１のデジタル放送受信機１の処理過程を示したフローチャートであり、このフローチャートの処理は所定の時間毎になされる。ＣＰＵ２８１はＴＶ映像のみが表示されているかどうかを判断する（Ｓ１１）。その判断に際しては、Photoキー２３ｅの操作に伴ってセット又はリセットされるフラグ２８３ａに基づいて判断される。仮に、フラグ２８３ａがリセットされていて、ＴＶ映像のみが表示されているという判断をした場合、即ち、チューナー１１により取り込んだＴＶ映像が表示されている場合には、次に、Photoキー２３ｅが押されたか（操作されたか）どうかを判断する（Ｓ１２）。ここで、Photoキー２３ｅが押されていない場合には、通常のＴＶ映像の表示態様であるとして、ここでの処理は終了する。即ち、描画処理回路１４は映像信号処理回路１３からの映像信号を取り込んでフレームメモリ１５にフレーム画像を描画し、その描画されたフレーム画像（映像信号）を映像出力回路１６を介して表示デバイス１７に出力してＴＶ映像を表示させる処理を継続することになる。
【００２２】
Photoキーが押された場合には、ＣＰＵ２８１はフラグ２８３ａをセットし（Ｓ１３）、記憶媒体２５からサムネイル画像の画像信号を読み込んでデコードし、その映像信号を描画処理回路１４に出力する（Ｓ１４）。描画処理回路１４は、ＴＶ映像の映像信号の他に、サムネイル画像の映像信号を取り込んで、ＴＶ映像上にサムネイル画像をオンスクリーン表示処理（ＯＳＤ処理）した合成画像をフレームメモリ１５上に描画する（Ｓ１５，Ｓ１６）。このフレーム画像は、ＴＶ映像を背景とし、サムネイル画像を手前側とする合成画像である。描画処理回路１４は、そのフレーム画像（映像信号）を映像出力回路１６を介して表示デバイス１７に出力し（Ｓ１７）、表示デバイス１７には、ＴＶ映像（動画映像）を背景とし、サムネイル画像がオンスクリーン表示された画像が得られる。このとき、任意のサムネイル画像の外枠に、静止画像を選択するための例えば赤枠を表示するものとする。
【００２３】
また、上記の判断処理（Ｓ１１）において、ＴＶ映像のみが表示されていないという判断をした場合、即ち、Photoキー２３ｅが既に押されていて（フラグ２８３ａがセットされている）、Photo View機能が既に稼動されている場合には、Photoキー２３ｅが再び押されたかどうかを判断する（Ｓ１８）。Photoキー２３ｅが押されていない場合には、次に、Enterキー２３ｃが押されたかどうかを判断し（Ｓ１９）、Enterキー２３ｃが押されている場合には、外枠が付されたサムネイル画像の画像データを記憶媒体２５から読み込んでデコードし、その映像信号を描画処理回路１４に出力する（Ｓ２０）。描画処理回路１４は、映像信号の他に、外枠が付されたサムネイル画像の映像信号を取り込んで、ＯＳＤ処理を行ってその合成画像（フレーム画像）をフレームメモリ１５上に描画し（Ｓ１５，Ｓ１６）、そのフレーム画像（映像信号）を映像出力回路１６を介して表示デバイス１７に出力し（Ｓ１７）、上記にて選択された画像をスライド表示（１枚表示）をさせる。また、上記の判断処理（Ｓ１９）において、Enterキー２３ｃが押されていないという判断をした場合には、次に、シフトキー２３ｂが押されたかどうかを判断し（Ｓ２１）、押されている場合にはそのシフトキー２３ｂに基づいた位置情報を描画処理回路１４に出力する。描画処理回路１４はその位置情報に対応したサムネイル画像に外枠を付加した画像をＯＳＤ処理により生成してフレームメモリ１５に書き込み（Ｓ１５，Ｓ１６）、更に、それを読み出して映像出力回路１６を介して表示デバイス１７に表示させる（Ｓ１７）。その結果、外枠が付されたサムネイル画像が変更されることになる。
【００２４】
また、上記の判断（Ｓ１８）において、Photoキー２３ｅが再び押されたという判断をした場合には、フラグ２８３ａをリセットして（Ｓ２３）、表示デバイス１７の表示をＴＶ映像だけの通常の表示態様に戻す。
【００２５】
図４はリモートコントローラ２３の操作と表示デバイス１７の表示態様との関係を示した説明図である。例えばチューナー１１により取り込んだＴＶ映像が表示されている場合（同図（ａ））には、チャンネルキー２３ａを操作することにより該当する番組の映像が表示デバイス１７に表示される（これ自体は従来と同様である）。この状態で、Photoキー２３ｅが押されると、ＴＶ映像を背景としてサムネイル画像が表示される（Ｓ１１〜Ｓ１７、同図（ｂ））。この状態で、シフトキー２３ｂが押されると、そのキー操作に応じて外枠（赤色）が付されるサムネイル画像が変更され、選択対象の画像が変わる（Ｓ２１，Ｓ２２、同図（ｃ））。そして、Enterキー２３ｃが押されると、外枠が付されたサムネイル画像が選択されて拡大表示されることになる（Ｓ１９，Ｓ２０、同図（ｄ））。そして、Photoキー２３ｅが押されると、Photo View機能が解除されて、通常のＴＶ映像の表示態様に戻る（Ｓ１８，Ｓ２３、同図（ａ））。
【００２６】
以上のように本実施形態１においては、静止画像を表示デバイスに表示させる際には、ＴＶ映像と静止画像とを同時に表示させるようにしており、このため、例えば記憶媒体２５から静止画像の画像データを取り込んでデコード処理するまで或る程度時間がかかったとしても、その間は、表示デバイス１７にはＴＶ映像が表示されているので、ユーザーにとってその待ち時間は気にならないものとなっている。更に、静止画像を表示させた段階においても、ＴＶ映像を背景映像として表示させるようにしているので、ＴＶ映像を確認しながら静止画像の表示を楽しむことができる。また、背景映像として表示されているＴＶ映像は、リモートコントローラ２３の操作によりチューナー１１を調整して任意のＴＶ番組のものとすることができる。また、ＴＶ映像の表示態様の如何にかかわらず、スピーカー２０からはＴＶ映像に対応した音声が出力されているので、こうした点からもＴＶ番組を楽しむことができる。そして、ＴＶ映像で気になる映像シーンが現れた場合には、Photoキー２３ｅを押すことによりＴＶ映像が表示されるので（図４（ａ））、その切り替えが容易なものとなっている。
【００２７】
実施形態２．
なお、上記の実施形態１においては記憶媒体２５に記憶された静止画像を取り込んで表示デバイス１７に表示する例について説明したが、例えばＲＡＭ２８３に記憶された静止画像を取り込んで同様に処理することもできる。また、Photoキー２３ｅの操作によりPhoto View機能を起動したり解除する例について説明したが、例えば記憶媒体２５を挿入口（図示せず）に挿入するとそれを検出してPhoto View機能を起動し、挿入口からの取り出しによりその機能を解除するようにしてもよい。
【００２８】
また、Photoキー２３ｅの操作によりPhoto View機能を解除する例について説明したが、例えば解除しないで静止画像を背景映像として表示するようにしてもよい。或いは他のキー操作により、ＴＶ映像（動画映像）の表示と静止画像との表示とを交互に切り替えるようにしてもよい。例えば背景映像としてＴＶ映像が表示され、静止画像がオンスクリーン表示されている状態で、キー操作をすることにより、その逆の状態、即ち、例えば静止画像を背景映像とし、ＴＶ映像をオンスクリーン表示させる。更に、キー操作をすることにより、その逆の状態、即ち、背景映像としてＴＶ映像を表示し、静止画像をオンスクリーン表示させることもできる。
【００２９】
実施形態３．
また、上記の実施形態１においては、ＴＶ映像とサムネイル画像とを切り替える例について説明したが、例えばＤＶＤプレーヤーやビデオプレーヤーからの映像信号を取り込んで表示デバイスに表示する場合においても同様に適用される。また、テレビジョン受信機の例としてデジタル放送受信装置の例について説明したが、アナログ式の受信機においても同様に適用される。また、図１の表示デバイス１７は、液晶パネル、プラズマディスプレイ及びＣＲＴの何れでもよい。
【図面の簡単な説明】
【００３０】
【図１】本発明の実施形態１に係るデジタル放送受信装置の構成を示すブロック図。
【図２】リモートコントローラの正面図。
【図３】図１のデジタル放送受信装置の処理過程を示すフローチャート。
【図４】リモートコントローラの操作と表示デバイスの表示態様との関係を示した説明図。
【符号の説明】
【００３１】
１０ アンテナ、１１ チューナー、１２ デマルチプレクサ、１３ 映像信号処理回路、１４ 描画処理回路、１５ フレームメモリ、１６ 映像出力回路、１７ 表示デバイス、１８ 音声信号処理回路、１９ アンプ、２０ スピーカー、２１ 操作部、２２ インターフェース、２３ リモートコントローラ、２４ 受信部、２５ 記憶媒体、２６ インターフェース、２７ バス、２８ 制御部。
【図１】
2006080848.tif 000003
【図２】
2006080848.tif 000004
【図３】
2006080848.tif 000005
【図４】
2006080848.tif 000006